(57)【要約】    【課題】弾性材の復元作用を利用し、ワンタッチでテンプル部品が取り付け組み立てられる眼鏡。    【解決手段】テンプル基端部品１の後端には、止め部２が突設して形成される一方、テンプル後方部品３には、弾性を持ち、一部が開放されたＣ字状の断面形を持つ連結部４が形成されており、該連結部４に前記テンプル基端部品１を圧入し、連結部４の付勢力によってテンプル後方部品３をワンタッチで取り付け、脱落、がたつきを防ぎ、前記止め部２によって前記テンプル後方部品３の後側方向への抜け落ちが阻止されていることを特長とする眼鏡テンプル。    【選択図】  図１
2006301139.tif 000002
【特許請求の範囲】
【請求項１】
眼鏡のフロント枠に取り付けられる眼鏡テンプルであって、テンプル基端部品１の後端には、止め部２が突設して形成される一方、耳掛けモダン部を有するテンプル後方部品３には、弾性を持ち、一部が開放されたＣ字状の断面形を持つ連結部４が形成されており、該連結部４に前記テンプル基端部品１を圧入し、連結部４の付勢力によってテンプル後方部品３をワンタッチで取り付け、脱落、がたつきを防ぎ、前記止め部２によって前記テンプル後方部品３の後側方向への抜け落ちが阻止されていることを特長とする眼鏡テンプル。
【請求項２】
眼鏡のフロント枠に取り付けられる眼鏡テンプルであって、テンプル基端部品１には、連結溝５が形成されている一方、耳掛けモダン部を有するテンプル後方部品３には弾性を持ち、一部が開放されたＣ字状の断面形を持つ連結部４が形成されており、該連結部４に前記連結溝５を圧入し、連結部４の付勢力によってテンプル後方部品３をワンタッチで取り付け、脱落、がたつきを防ぐことを特長とする眼鏡テンプル。
【請求項３】
請求項２に記載の眼鏡テンプルにおいて、テンプル基端部品１に形成される連結溝５を少なくとも２箇所以上設け、そのいづれかを、耳掛けモダン部を有するテンプル後方部品３に形成される弾性を持ち、一部が開放されたＣ字状の断面形を持つ連結部４に圧入し、該連結部４の付勢力によってテンプル後方部品３をワンタッチで取り付け、脱落、がたつきを防ぐとともに、テンプル全長を自由に変えられることを特長とする眼鏡テンプル。
【請求項４】
眼鏡のフロント枠に取り付けられる眼鏡テンプルであって、テンプル基端部品１には、弾性を持ち、一部が開放されたＣ字状の断面形を持つ連結部４が形成される一方、耳掛けモダン部を有するテンプル後方部品３の先端には、止め部２が突設して形成され、前記連結部４にテンプル後方部品３を圧入し、該連結部４の付勢力によってテンプル後方部品３をワンタッチで取り付け、脱落、がたつきを防ぎ、前記止め部２によって前記テンプル後方部品３の後側方向への抜け落ちが阻止されていることを特長とする眼鏡テンプル。
【請求項５】
眼鏡のフロント枠に取り付けられる眼鏡テンプルであって、テンプル基端部品１には弾性を持ち、一部が開放されたＣ字状の断面形を持つ連結部４が形成されている一方、耳掛けモダン部を有するテンプル後方部品３には連結溝５が形成されており、前記連結部４に該連結溝５を圧入し、連結部４の付勢力によってテンプル後方部品３をワンタッチで取り付け、脱落、がたつきを防ぐことを特長とする眼鏡テンプル。
【請求項６】
請求項５に記載の眼鏡テンプルにおいて、耳掛けモダン部を有するテンプル後方部品３に形成される連結溝５を少なくとも２箇所以上設け、そのいづれかをテンプル基端部品１に形成される弾性を持ち、一部が開放されたＣ字状の断面形を持つ連結部４に圧入し、該連結部４の付勢力によってテンプル後方部品３をワンタッチで取り付け、脱落、がたつきを防ぐとともに、テンプル全長を自由に変えられることを特長とする眼鏡テンプル。
【発明の詳細な説明】
【技術分野】
【０００１】
本発明は、弾性材の復元作用を利用し、ワンタッチでテンプル部品が取り付け組み立てられ、またテンプル全長を自由に変えられる構造に関するものである。
【背景技術】
【０００２】
テンプルの基端部に、他の装飾性やバネ性といった異なる特性を持つ別部品を取り付ける場合、ネジ止めやロー付けといった技術を用いる場合が多く、その他の手法としては、図１９に示すものが提案されている。
【発明の開示】
【発明が解決しようとする課題】
【０００３】
しかし、ネジ止めやロー付けといった方法は、組み立て効率が悪く製造コスト上昇の一因となっており、また、図１５に示す方法では、取り付け支持個所が２箇所であるため、部品製造、組み立てが複雑となり製造コストがかかり、加えて大きなデザイン的制約を受けるという不満がある。
【課題を解決するための手段】
【０００４】
前記課題を解決するため、本発明は以下の手法を採用する。
即ち、テンプル基端部品１の後端に止め部２を突設して形成させる一方、テンプル後方部品３に弾性を持ち、一部が開放されたＣ字状の断面形の連結部４を形成させ、該連結部４を変形させながら前記テンプル基端部品１を圧入し、連結部４の付勢力によってテンプル後方部品３をワンタッチで取り付け、がたつきを防ぎ、前記止め部２によって前記テンプル後方部品３の後側方向への抜け落ちを阻止することで、連結個所を一箇所としネジやロー付けといった手間を省いた、生産性が高く、またシンプルな美観にも応える眼鏡を可能にできることを特長とするものである。
【発明の効果】
【０００５】
本発明は以下の優れた効果を奏する。
（１）テンプル基端部品に、他の特性、装飾性を持った別部品をワンタッチで取り付けることができるため、従来のネジ止めやロー付けといった手間が省けコストダウンが可能である。
（２）連結支持個所が一箇所であるため、生産性が高くシンプルな美観の眼鏡デザインが可能である。
（３）テンプルの全長を自由に、かつ、簡単に変えることが可能である。
【発明を実施するための最良の形態】
【０００６】
以下、本発明に係る第１〜第６実施形態を図面に基づいて説明する。
〔第１実施形態〕
図１〜図４において、本実施形態に係る連結構造は、テンプル基端部品１の後端に、止め部２を突設して形成させる一方、テンプル後方部品３には、弾性を持ち、一部が開放されたＣ字状の断面形を持つ連結部４が形成されている。該連結部４を変形させながら、連結部４にテンプル基端部品１を圧入し、該連結部４の付勢力によってテンプル後方部品３をワンタッチで取り付け、脱落、がたつきを防ぎ、前記止め部２によって前記テンプル後方部品３の後側方向への抜け落ちが阻止されている。この際、テンプル基端部品１は、前記連結部４によって押圧されるように、連結部４よりわずかに大きく形成されている。
【０００７】
また、本実施形態における止め部２は、図１に示すように上下に突設したものを採用しているが、これに限定されるものではなく、適宜変更が可能であり、例えば、図４に示すように部分的に突設させる場合もある。
【０００８】
〔第２実施形態〕
図５〜図６において、本実施形態に係る連結構造は、テンプル基端部品１に連結溝５を形成させる一方、テンプル後方部品３には、弾性を持ち一部が開放されたＣ字状の断面形を持つ連結部４が形成されており、該連結部４を変形させながら連結部４に前記連結溝５を圧入し、連結部４の付勢力によってテンプル後方部品３をワンタッチで取り付け、脱落、がたつきが防がれている。この際、連結溝５は，連結部４によって押圧されるように連結部４よりわずかに大きく形成されている。
【０００９】
〔第３実施形態〕
図７〜図８において、本実施形態に係る連結構造は、テンプル基端部品１に形成される連結溝５ａ，５ｂを設け、そのいづれかをテンプル後方部品３に形成された弾性を持ち一部が開放されたＣ字状の断面形を持つ連結部４へ、連結部４を変形させながら圧入し、該連結部４の付勢力によってテンプル後方部品３をワンタッチで取り付け、脱落、がたつきを防ぐとともに、テンプル全長を自由に変えることが可能になっている。この際、連結溝５ａ，５ｂは，連結部４によって押圧されるように連結部４よりわずかに大きく形成されている。
【００１０】
〔第４実施形態〕
図９〜図１０において、本実施形態に係る連結構造は、テンプル基端部品１に弾性を持ち、一部が開放されたＣ字状の断面形を持つ連結部４を形成させる一方、テンプル後方部品３の先端には、止め部２が突設して形成され、前記連結部４に連結部４を変形させながらテンプル後方部品３を圧入し、該連結部４の付勢力によってテンプル後方部品３をワンタッチで取り付け、脱落、がたつきを防ぎ、前記止め部２によって前記テンプル後方部品３の後側方向への抜け落ちが阻止されている。この際、テンプル後方部品３は、前記連結部４によって押圧されるように、連結部４よりわずかに大きく形成されている。
【００１１】
また、本実施形態における止め部２は、図９に示すように上下に突設したものを採用しているが、これに限定されるものではなく、適宜変更が可能である。
【００１２】
〔第５実施形態〕
図１１〜図１２において、本実施形態に係る連結構造は、テンプル基端部品１に弾性を持ち、一部が開放されたＣ字状の断面形を持つ連結部４が形成させる一方、テンプル後方部品３には連結溝５が形成されており、前記連結部４に連結部４を変形させながら、前記連結溝５を圧入し、連結部４の付勢力によってテンプル後方部品３をワンタッチで取り付け、脱落、がたつきが防がれている。この際、連結溝５は，連結部４によって押圧されるように連結部４よりわずかに大きく形成されている。
【００１３】
〔第６実施形態〕
図１３〜図１４において、本実施形態に係る連結構造は、テンプル基端部品１に弾性を持ち、一部が開放されたＣ字状の断面形を持つ連結部４が形成させる一方、テンプル後方部品３に形成される連結溝５ａ，５ｂを設け、そのいづれかを前記テンプル基端部品１に形成された連結部４に連結部４を変形させながら、圧入し、該連結部４の付勢力によってテンプル後方部品３をワンタッチで取り付け脱落、がたつきを防ぐとともに、テンプル全長を自由に変えられることが可能になっている。この際、連結溝５ａ，５ｂは，連結部４によって押圧されるように連結部４よりわずかに大きく形成されている。
【００１４】
〔その他の実施形態〕
連結溝５は、全周が凹設される場合の他、図１５に示すように部分的に凹設される場合や、図１６に示すように一部が開放されて形成される場合もあり、適宜変更が可能である。
【００１５】
また、連結部４の開放方向は、任意の方向とし、第１〜第６実施形態で示された内側方向への開放の他、例えば、図１７〜図１８で示すように外側方向、下側方向へ開放してもよい。
【００１６】
本発明では、連結部４の素材として、ステンレスバネ板材の曲げ加工を採用するが、これに限定されるものではなく、弾性復元力を持つ他の素材を採用する場合もある。
【図面の簡単な説明】
【００１７】
【図１】テンプル連結構造の分解斜視図である。
【図２】テンプル連結構造の組み立て斜視図である。
【図３】テンプル連結部分の断面図である。
【図４】テンプル基端部品の部品斜視図である。
【図５】テンプル連結構造の分解斜視図である。
【図６】テンプル連結構造の組み立て斜視図である。
【図７】テンプル連結構造の分解斜視図である。
【図８】テンプル連結構造の組み立て斜視図である。
【図９】テンプル連結構造の分解斜視図である。
【図１０】テンプル連結構造の組み立て斜視図である。
【図１１】テンプル連結構造の分解斜視図である。
【図１２】テンプル連結構造の組み立て斜視図である。
【図１３】テンプル連結構造の分解斜視図である。
【図１４】テンプル連結構造の組み立て斜視図である。
【図１５】テンプル連結部分の断面図である。
【図１６】テンプル連結構造の分解斜視図である。
【図１７】テンプル基端部品の部品斜視図である。
【図１８】テンプル後方部品の部品斜視図である。
【図１９】先行事例の上面部分図である。
【符号の説明】
【００１８】
１  テンプル基端部品
２  止め部
３  テンプル後方部品
４  連結部
５  連結溝
【図１】
2006301139.tif 000003
【図２】
2006301139.tif 000004
【図３】
2006301139.tif 000005
【図４】
2006301139.tif 000006
【図５】
2006301139.tif 000007
【図６】
2006301139.tif 000008
【図７】
2006301139.tif 000009
【図８】
2006301139.tif 000010
【図９】
2006301139.tif 000011
【図１０】
2006301139.tif 000012
【図１１】
2006301139.tif 000013
【図１２】
2006301139.tif 000014
【図１３】
2006301139.tif 000015
【図１４】
2006301139.tif 000016
【図１５】
2006301139.tif 000017
【図１６】
2006301139.tif 000018
【図１７】
2006301139.tif 000019
【図１８】
2006301139.tif 000020
【図１９】
2006301139.tif 000021